(57)【要約】【課題】ウォブル検出する受光素子におけるトラックパターンを含む部分の割合が大きくなるように受光領域を設定することによりＣ（キャリア）／Ｎ（ノイズ）を向上させる光ピックアップ装置を提供する。【解決手段】光束を記録媒体の記録面に集光し、情報の記録、再生及び消去を行い、かつ、前記記録媒体からの反射光を受光素子に集光し、前記記録媒体の溝横断方向に非周期的な微細溝形状からの情報を読み取る光ピックアップ装置において、ウォブル検出に用いる受光部分（ハッチング部分）に対するトラックパターン領域の割合が、全体を受光する場合より大きくなるように受光素子を分割し、かつ、トラックパターンを２分割する。該分割された受光領域による差動信号から、記録媒体の溝横断方向に非周期的な溝形状からの情報信号成分、つまり、ウォブル信号やＬＰＰ信号を生成する。【選択図】　　　　図５
2004111005.tif 000002
【特許請求の範囲】
【請求項１】
光束を記録媒体の記録面に集光し、情報の記録、再生及び消去を行い、かつ、前記記録媒体からの反射光を受光素子に集光し、前記記録媒体の溝横断方向に非周期的な微細溝形状からの情報を読み取る光ピックアップ装置において、
前記反射光を、前記記録媒体の溝直交方向と前記記録媒体の溝方向とに分割する光分割手段と、
前記光分割手段により分割した反射光から、前記記録媒体の溝横断方向に非周期的な微細溝形状からの情報を読み取る読取手段と、
を有することを特徴とする光ピックアップ装置。
【請求項２】
光束を記録媒体の記録面に集光し、情報の記録、再生及び消去を行い、かつ、前記記録媒体からの反射光を受光素子に集光し、前記記録媒体の溝横断方向に非周期的な微細溝形状からの情報を読み取る光ピックアップ装置において、
前記受光素子上で、前記反射光を溝直交方向に、
Ｔ１：Ｔ２（Ｔ１＞Ｔ２）の比（Ｔ１，Ｔ２は分割された受光量を示す）で分割する分割手段と、
前記分割手段により分割したＴ１側で前記記録媒体の溝横断方向に非周期的な微細溝形状からの情報を読み取る読取手段と、
を有することを特徴とする光ピックアップ装置。
【請求項３】
前記分割手段により分割するＴ１とＴ２との比は、
０＜（Ｔ１−Ｔ２）／（Ｔ１＋Ｔ２）≦０．２
であることを特徴とする請求項２記載の光ピックアップ装置。
【請求項４】
前記分割手段により分割されるＴ１側は複数に分割されていることを特徴とする請求項２または３記載の光ピックアップ装置。
【請求項５】
前記光分割手段または前記分割手段は、
前記反射光を、格子パターンの異なる３つ以上に分割することを特徴とする請求項１から４の何れか１項に記載の光ピックアップ装置。
【請求項６】
前記光分割手段または前記分割手段は、
前記記録媒体に対し溝直交方向を光軸からずらして前記反射光を分割することを特徴とする請求項１から５の何れか１項に記載の光ピックアップ装置。
【請求項７】
前記溝直交方向と光軸とをずらして前記受光素子上に前記反射光を集光する集光手段を有することを特徴とする請求項１から６の何れか１項に記載の光ピックアップ装置。
【請求項８】
記録媒体からの反射光を受光素子に集光し、前記記録媒体の溝横断方向に非周期的な微細溝形状からの情報を読み取る請求項１から７に記載の光ピックアップ装置を具備することを特徴とする光情報記録再生装置。
【発明の詳細な説明】
【０００１】
【発明の属する技術分野】
本発明は、レーザ光を集光してレーザスポットを形成し、該形成したレーザスポットを記録媒体に照射することにより、マーク（ピット）を形成して情報の記録を行う。また、記録媒体からの反射光を受光して該記録媒体に記録されている情報の再生を行う光ピックアップ装置及びその光ピックアップ装置を具備する光情報記録再生装置に関する。
【０００２】
【従来の技術】
大容量の情報を記録する記録媒体として、光ディスクが使用されている。
光ディスクには、書き込みが可能な（記録可能な）ＤＶＤ（Ｄｉｇｉｔａｌ　Ｖｅｒｓａｔｉｌｅ　Ｄｉｓｃ）として、ＤＶＤ−ＲＡＭ・ＷＯ、ＤＶＤ−Ｒ、ＤＶＤ＋Ｒ、ＤＶＤ−ＲＡＭ、ＤＶＤ−ＲＷ、ＤＶＤ＋ＲＷなどが挙げられる。
より詳細には、ＤＶＤ−ＲＡＭ・ＷＯ、ＤＶＤ−Ｒ、ＤＶＤ＋Ｒは、１回だけ書き込みが可能なＤＶＤである（なお、ＤＶＤ　Ｗｒｉｔｅ　Ｏｎｃｅともいわれている）。
また、ＤＶＤ−ＲＡＭ、ＤＶＤ−ＲＷ、ＤＶＤ＋ＲＷは、複数回の書き込みが可能なＤＶＤである。
【０００３】
記録用の光ディスクには、同期情報（同期パターン）やディスク上のアドレス情報を示すために図１４のようなウォブル（蛇行溝）や図１５のようなランドプリピット（ＬＰＰ）などが形成されている。微視的に見ると、これらが形成されているため、半径方向には非周期的構造になっている。
【０００４】
図１４に示す光ディスクは、蛇行状の溝部（トラック溝）１４０１と、陸部１４０２と、を有して構成されており、プッシュプル法を用いて信号を検出するのが通常である。
図１５に示す光ディスクは、光スポットの一部がランドトラック１５０１に照射されている。このランドトラック（トラック溝）１５０１に照射された光スポット１５０２の一部の反射光を用いて、プッシュプル法によりランドプリピット１５０３が検出されて、該プリピット１５０３が示す光ディスク固有の記録情報を取得する。
なお、プッシュプル法は、光ディスク上に形成された溝部（トラック溝）により、回折、反射されて再び対物レンズに入射した光の強度分布が、溝部（トラック溝）と光スポットとの相対的な位置により、変化することを利用し、その反射光を複数に分割したフォトディテクタで受光し、各フォトディテクタで受光した光の光量差に基づいてトラッキングエラー信号を求める方法である。
【０００５】
また、光ピックアップ装置に関する従来技術として、対物レンズの光学特性を最適設計していない情報記録媒体から反射する反射光に対し、球面収差の影響が小さい中央部分のみを受光する中央光受光領域を受光素子に設けることで、球面収差の影響が大きい周辺部以外の反射光のみを中央光受光領域で受光する技術がある（特許文献１参照）。
【０００６】
【特許文献１】
特開平１０−２６１２３８号公報
【０００７】
【発明が解決しようとする課題】
しかしながら、光ディスクは、ウォブル（蛇行溝）やランドプリピット（ＬＰＰ）などが形成されているため、半径方向は非周期的構造になっているが、トラック溝がトラックピッチ周期で形成されているという観点から見れば周期的構造となっている。
また、ウォブル信号やＬＰＰ信号はその非周期的微細構造に由来する帯域の高い信号であるが、プッシュプル信号などのトラック信号は周期的構造に由来するウォブルより帯域の低い信号である。
ウォブル信号やＬＰＰ信号は図１６のようにトラックパターンが２分割された受光領域Ａと受光領域Ｂとの差動信号＝（Ａ―Ｂ）により生成される。
この信号は、プッシュプル信号同様、溝横断方向（ラジアル方向）のスポット径が絞れているほどＣ（キャリア）／Ｎ（ノイズ）が高くなる。一方、スポット径が大きくなるとウォブルＣ（キャリア）／Ｎ（ノイズ）の劣化や、倍速上昇による回路系のＳ（シグナル）／Ｎ（ノイズ）劣化などにより、ウォブルから生成されるアドレス情報などのエラー率が増大する。
【０００８】
本発明は、上記事情に鑑みてなされたものであり、ウォブル検出する受光素子におけるトラックパターンを含む部分の割合が大きくなるように、受光領域を設定することでＣ（キャリア）／Ｎ（ノイズ）を向上させる光ピックアップ装置及び光情報記録再生装置を提供することを目的とする。
【０００９】
【課題を解決するための手段】
かかる目的を達成するために本発明は以下の特徴を有する。
請求項１記載の発明は、光束を記録媒体の記録面に集光し、情報の記録、再生及び消去を行い、かつ、記録媒体からの反射光を受光素子に集光し、記録媒体の溝横断方向に非周期的な微細溝形状からの情報を読み取る光ピックアップ装置において、反射光を、記録媒体の溝直交方向と記録媒体の溝方向とに分割する光分割手段と、光分割手段により分割した反射光から、記録媒体の溝横断方向に非周期的な微細溝形状からの情報を読み取る読取手段と、を有することを特徴とする。
【００１０】
請求項２記載の発明は、光束を記録媒体の記録面に集光し、情報の記録、再生及び消去を行い、かつ、記録媒体からの反射光を受光素子に集光し、記録媒体の溝横断方向に非周期的な微細溝形状からの情報を読み取る光ピックアップ装置において、受光素子上で、反射光を溝直交方向に、Ｔ１：Ｔ２（Ｔ１＞Ｔ２）の比（Ｔ１，Ｔ２は分割された受光量を示す）で分割する分割手段と、分割手段により分割したＴ１側で記録媒体の溝横断方向に非周期的な微細溝形状からの情報を読み取る読取手段と、を有することを特徴とする。
【００１１】
請求項３記載の発明は、請求項２記載の光ピックアップ装置において、分割手段により分割するＴ１とＴ２との比は、０＜（Ｔ１−Ｔ２）／（Ｔ１＋Ｔ２）≦０．２であることを特徴とする。
【００１２】
請求項４記載の発明は、請求項２または３記載の光ピックアップ装置において、分割手段により分割されるＴ１側は複数に分割されていることを特徴とする。
【００１３】
請求項５記載の発明は、請求項１から４の何れか１項に記載の光ピックアップ装置において、光分割手段または分割手段は、反射光を、格子パターンの異なる３つ以上に分割することを特徴とする。
【００１４】
請求項６記載の発明は、請求項１から５の何れか１項に記載の光ピックアップ装置において、光分割手段または分割手段は、記録媒体に対し溝直交方向を光軸からずらして反射光を分割することを特徴とする。
【００１５】
請求項７記載の発明は、請求項１から６の何れか１項に記載の光ピックアップ装置において、溝直交方向と光軸とをずらして受光素子上に反射光を集光する集光手段を有することを特徴とする。
【００１６】
請求項８記載の発明は、記録媒体からの反射光を受光素子に集光し、記録媒体の溝横断方向に非周期的な微細溝形状からの情報を読み取る請求項１から７に記載の光ピックアップ装置を具備することを特徴とする。
【００１７】
【発明の実施の形態】
（第１の実施の形態）
以下、添付図面を参照しながら本発明にかかる実施の形態について詳細に説明する。
まず、図１を参照しながら、光ピックアップの構成を説明する。
光ピックアップは、半導体レーザ（ＬＤ：４０１）と、コリメートレンズ（ＣＬ：４０２）と、ビームスプリッタ（ＢＳ：４０３）と、偏光プリズム（ＤＰ：４０４）と、対物レンズ（ＯＬ：４０５）と、光ディスク（４０６）と、集光レンズ（ＤＬ：４０７）と、受光素子（ＰＤ：４０８）と、を有して構成される。
【００１８】
半導体レーザ（ＬＤ：４０１）は、レーザ光を出射する。
コリメートレンズ（ＣＬ：４０２）は、半導体レーザ（ＬＤ：４０１）からのレーザ光を収束して、略平行光にする。
ビームスプリッタ（ＢＳ：４０３）は、コリメートレンズ（ＣＬ：４０２）からのレーザ光を通過させる。また、光ディスク（４０６）からの反射光を偏光する。
偏光プリズム（ＤＰ：４０４）は、半導体レーザ（ＬＤ：４０１）または光ディスク（４０６）からの反射光を偏光する。
対物レンズ（ＯＬ：４０５）は、収差が小さくなるように光学特性が最適設計されて入射するレーザ光を集光する。
集光レンズ（ＤＬ：４０７）は、ビームスプリッタ（ＢＳ：４０３）が偏光した光を収束する。
受光素子（ＰＤ：４０８）は、集光レンズ（ＤＬ：４０７）が収束した反射光を受光して情報信号、サーボ信号を出力する。
【００１９】
次に、上記構成からなる光ピックアップの処理動作について説明する。
光源の半導体レーザ（ＬＤ：４０１）から出射した発散光（レーザ光）は、コリメートレンズ（ＣＬ：４０２）で略平行光とされる。次に、ビームスプリッタ（ＢＳ：４０３）を透過し、偏向プリズム（ＤＰ：４０４）で光路を９０度偏向され、対物レンズ（ＯＬ：４０５）に入射する。そして、光ディスク（４０６）の透明基板を透過し記録面上に微小スポットとして集光される。前記スポットにより、情報の再生、記録または消去が行われる。
【００２０】
次に、ディスク記録面で反射した光束は、対物レンズ（ＯＬ：４０５）により再び略平行光とされる。次に、偏光プリズム（ＤＰ：４０４）で偏向され、ビームスプリッタ（ＢＳ：４０３）で反射される。そして、集光レンズ（ＤＬ：４０７）で収束光とされ、受光素子（ＰＤ：４０８）に至る。なお、受光素子（ＰＤ：４０８）からは、情報信号、サーボ信号が検出される。
【００２１】
ここで、受光素子（ＰＤ：４０８）は、図１６に示すように少なくともトラックパターンを２分割するように設置し、その差動信号から、記録媒体の溝横断方向に非周期的な溝形状からの情報信号成分、つまり、ウォブル信号やＬＰＰ信号が生成される。
【００２２】
また、回路が十分高帯域であれば、図２のように溝横断によるプッシュプル信号にウォブルやＬＰＰによる溝形状変化による信号変化が重畳された信号が検出される。この信号からバンドパスフィルターにより高域成分と低域成分（プッシュプル成分）を除去した信号が図３に示すウォブル信号（６０１）であり、ＬＰＰ信号（６０２）である。逆に、ローパスフィルターにより、高帯域成分をカットした信号が溝トラッキングに用いられるプッシュプル信号である（図４参照）。
【００２３】
次に、図５を参照しながら受光素子部分について説明する。
なお、光学系は図１と同様である。
図５に示す（ａ）は、受光素子上で４分割（Ａ，Ｂ，Ｃ，Ｄ）し、該分割した受光領域Ａ，Ｂにトラックパターンを含む場合の例を示す図である。
（ｂ）は、受光素子上で３分割（Ａ，Ｂ，Ｃ）し、該分割した受光領域Ａ，Ｂにトラックパターンを含む場合の例を示す図である。
（ｃ）は、受光素子上で４分割（Ａ，Ｂ，Ｃ，Ｄ）し、該分割した受光領域Ａ，Ｂにトラックパターンの一部を含む場合の例を示す図である。
【００２４】
このように、ウォブル検出に用いる受光部分（ハッチング部分）に対するトラックパターン領域の割合が、全体を受光する場合より大きくなるように受光素子が分割され、かつ、トラックパターンが２分割されている。
上記分割された受光領域による差動信号から、記録媒体の溝横断方向に非周期的な溝形状からの情報信号成分、つまり、ウォブル信号やＬＰＰ信号が生成される。
【００２５】
（第２の実施の形態）
次に、第２の実施の形態について説明する。
第２の実施の形態は、第１の実施の形態における光ピックアップ装置に対し、回折格子を設けたものである。以下、図６を参照しながら第２の実施の形態における光ピックアップの構成について説明する。
光ピックアップは、半導体レーザ（ＬＤ：９０１）と、コリメートレンズ（ＣＬ：９０２）と、ビームスプリッタ（ＢＳ：９０３）と、偏向プリズム（ＤＰ：９０４）と、対物レンズ（ＯＬ：９０５）と、光ディスク（９０６）と、集光レンズ（ＤＬ：９０７）と、受光素子（ＰＤ：９０８）と、回折格子（９０９）と、を有して構成される。
【００２６】
次に、上記構成からなる光ピックアップの処理動作について説明する。
まず、光源の半導体レーザ（ＬＤ：９０１）から出射した発散光は、コリメートレンズ（ＣＬ：９０２）で略平行光とされる。そして、ビームスプリッタ（ＢＳ：９０３）を透過し、偏向プリズム（ＤＰ：９０４）で光路を９０度偏向される。次に、対物レンズ（ＯＬ：９０５）に入射し、光ディスク（９０６）の透明基板を透過し記録面上に微小スポットとして集光される。なお、前記スポットにより、情報の再生、記録あるいは消去が行われる。
【００２７】
次に、ディスク記録面で反射した光束は、対物レンズ（ＯＬ：９０５）により再び略平行光とされる。そして、偏向プリズム（ＤＰ：９０４）で偏向され、ビームスプリッタ（ＢＳ：９０３）で反射される。次に、集光レンズ（ＤＬ：９０７）で収束光とされ、領域分割する回折格子（９０９）により領域分割され、ウォブルを検出する部分の光束はそれぞれ異なった受光素子（ＰＤ：９０８）に受光される。その差動信号から、記録媒体の溝横断方向に非周期的な溝形状からの情報信号成分、つまり、ウォブル信号やＬＰＰ信号が生成される。また、他の部分も他の受光素子により受光され、情報信号、サーボ信号が検出される。
以下、図７を参照しながら回折格子領域の分割例を説明する。
【００２８】
図７に示す（ａ）は、回折素子上を４分割（Ａ，Ｂ，Ｃ，Ｄ）し、回折領域（受光領域）Ａ，Ｂにトラックパターンを含む場合の例を示す図である。
（ｂ）は、回折素子上を３分割（Ａ，Ｂ，Ｃ）し、回折領域（受光領域）Ａ，Ｂにトラックパターンを含む場合の例を示す図である。
（ｃ）は、回折素子上を４分割（Ａ，Ｂ，Ｃ，Ｄ）し、回折領域（受光領域）Ａ，Ｂにトラックパターンの一部を含む場合の例を示す図である。
【００２９】
このように、ウォブル検出に用いる受光部分（ハッチング部分）に対するトラックパターン領域の割合が、全体を受光する場合より大きくなるように回折領域が分割され、かつ、トラックパターンが２分割されている。
上記分割された受光領域による差動信号から、記録媒体の溝横断方向に非周期的な溝形状からの情報信号成分、つまり、ウォブル信号やＬＰＰ信号が生成される。
【００３０】
（第３の実施の形態）
次に、第３の実施の形態について説明する。
第３の実施の形態は、半導体レーザ（ＬＤ：１１０１）と、受光素子（ＰＤ：１１０８）と、検出用ホログラム（１１０７）と、が一体となったホログラムユニット（１１００）を用いることにより、図８に示すような部品の集積化が可能となる。
【００３１】
まず、図８を参照しながら第３の実施の形態における光ピックアップの構成について説明する。
光ピックアップは、半導体レーザ（ＬＤ：１１０１）と、受光素子（ＰＤ：１１０８）と、検出用ホログラム（１１０７）と、が一体となったホログラムユニット（１１００）と、コリメートレンズ（１１０２）と、偏向プリズム（１１０４）と、対物レンズ（１１０５）と、光ディスク（１１０６）と、を有して構成される。
【００３２】
次に、上記構成からなる光ピックアップの処理動作について説明する。
半導体レーザＬＤと、受光素子ＰＤと、検出用ホログラムと、が一体となったホログラムユニット（１１００）のＬＤチップ（１１０１）から出射した光束は、ホログラムを透過する。そして、コリメートレンズ（ＣＬ：１１０２）により、略平行光とされる。次に、偏向プリズム（ＤＰ：１１０４）で光路を９０度偏向され、対物レンズ（ＯＬ：１１０５）に入射し、光ディスク（１１０６）の透明基板を透過し記録面上に微小スポットとして集光される。
【００３３】
次に、ディスク記録面で反射した光束は、対物レンズ（ＯＬ：１１０５）により再び略平行光とされる。そして、偏光プリズム（ＤＰ：１１０４）で偏向され、コリメートレンズ（ＣＬ：１１０２）で収束光とされる。
次に、エラー信号と情報信号とが生成するようにホログラム（１１０７）で回折され、受光素子（ＰＤ：１１０８）で受光される。
【００３４】
このように、ディスク記録面で反射した光束は、ホログラムにより、分割し、該分割数に相当する数の受光素子で受光することが可能となる。
【００３５】
次に、図９を参照しながらホログラムの回折領域のパターンを説明する。
このホログラムの分割パターンは、例えば、３つの受光領域（Ａ，Ｂ，Ｃ）をもち、ディスク記録面の溝直交方向の分割線でホログラムを２分割し、その一方を前記溝方向の分割線で２分割するような構成となっている。
但し、上記構成に限定されるものではなく、格子パターンの異なる３つ以上の領域を有し、所望の受光領域に回折光を導く構成であればよい。
また、通常は、ホログラムの中心と光軸（対物レンズ中心）を一致させるように組付けるが、
▲１▼トラックパターン領域の割合が、全体を受光する場合より大きくなるように故意に対物レンズ位置をずらして組付けられる。
▲２▼このとき、溝方向に相当する分割線はトラックパターンが２分割されるように対物レンズ位置を調整して組付けられる。
この２分割の差動信号から、記録媒体の溝横断方向に非周期的な溝形状からの情報信号成分、つまり、ウォブル信号やＬＰＰ信号が生成される。
【００３６】
なお、上記▲１▼、▲２▼の調整は、光路の平行光部分にラジアル，タンジェンシャルの２方向の強度分布を平行移動が可能な平行平板と、該平行平板を２方向に移動させて回転調整を行う回転調整機構とを設けることにより受光領域を調整することも可能である。
【００３７】
また、図９のＡ領域はフォーカスエラー信号生成に使われる場合がある。
例えば、Ａ領域で回折した光のフォーカスがあっている場合には、２分割の受光領域（例えばａ１、ａ２）の中心になるように、溝直交方向の分割線でホログラムを２分割し、フォーカスエラー信号を（ａ１−ａ２）により求める。
なお、プッシュプル信号はＢ領域及びＣ領域で回折した光をそれぞれに対応した受光領域（ｂ（Ｂ領域）、ｃ（Ｃ領域））で受光し、（ｂ−ｃ）により求めることができる。
この場合、Ｂ，Ｃ領域が大きすぎるとフォーカス信号振幅が小さくなり制御上問題となる。そのため、Ａ領域とＢ，Ｃ領域の光量比（またはＡ、Ｂ、Ｃ各領域に対応した受光素子の各受光領域から生成される信号振幅比）
｛（Ｂ＋Ｃ）−Ａ｝／｛（Ｂ＋Ｃ）＋Ａ｝×１００（％）
を、２０（％）以下に設定することにより上記不具合は抑制される。この光量比（すなわち、ホログラムのＡ、Ｂ、Ｃ各領域に対応した各受光領域からの信号振幅比）が約２０％を超えてしまうと、Ｂ、Ｃ領域に対応した受光領域で検出生成される信号に比べてＡ領域に対応した受光領域で生成される信号のレベルが小さくなりすぎ、ゲインの異なる増幅器を用いる等しなければフォーカス制御が困難となることが分かった。
【００３８】
一方、光量比が０（％）の場合は、ディスク反射光の半分でウォブル信号を生成することになるが、受光部分に対するトラックパターン領域の割合は、全体を受光する場合と等しくなる。この値がプラスになるほど、受光部分に対するトラックパターン領域の割合が全体を受光する場合より大きくなる。従って、０％よりも割合は大きくなることが好ましい。
【００３９】
以上の条件を式に表すと、
０（％）＜｛（Ｂ＋Ｃ）−Ａ｝／｛（Ｂ＋Ｃ）＋Ａ｝×１００（％）≦２０（％）のとき、Ａ領域から生成されるフォーカス信号の性能を落とさず、ウォブルＣ／Ｎを向上させることができる。
【００４０】
なお、上記ホログラムユニットの例は、パターン自体は出射光軸（コリメートレンズの光軸）に合っていて、受光光量比をずらす構成であるが、光学系自体の光軸は合っていて、図１０に示すように、ホログラムパターンの分割位置がずれているホログラム構成も考えられる。以下、図１１を参照しながら詳細に説明する。
【００４１】
図１１（ａ）に示すように、通常は、ホログラムの分割線が光軸を通るように設定されている。しかし、受光部分に対するトラックパターン領域の割合が多くなるように、光学系をずらすのではなく、図１１（ｂ）に示すように、ホログラム素子またはホログラムパターン自体をずらす。
これにより、例えば、対物レンズ位置を調整して所望の分割を得ていた場合に対し、対物レンズ（光学系）は基準位置のまま所望の分割比を得ることが可能となる。
【００４２】
次に、図１２を参照しながら上記光ピックアップを具備する光ディスクドライブの構成について説明する。
光ディスクドライブは、光ディスク１と、スピンドルモータ２と、光ピックアップ３と、モータドライバ４と、リードアンプ５と、サーボ手段６と、ＤＶＤデコーダ７と、ＡＤＩＰデコーダ８と、レーザコントローラ９と、ＤＶＤエンコーダ１０と、ＤＶＤ−ＲＯＭエンコーダ１１と、バッファＲＡＭ１２と、バッファマネージャ１３と、ＤＶＤ−ＲＯＭデコーダ１４と、ＡＴＡＰＩ／ＳＣＳＩインターフェース１５と、Ｄ／Ａコンバータ１６と、ＲＯＭ１７と、ＣＰＵ１８と、ＲＡＭ１９と、を有して構成される。
上記構成により、光ディスクドライブは、光ディスクに対して、情報の記録再生を行う。
なお、図１２において、ＬＢはレーザ光、Ａｕｄｉｏはオーディオ出力信号を示す。また、矢印はデータが主に流れる方向を示している。
【００４３】
また、ＣＰＵ１８は、各ブロックを制御する。
より詳細には、スピンドルモータ２と、光ピックアップ３と、モータドライバ４と、リードアンプ５と、サーボ手段６と、レーザコントローラ９と、バッファＲＡＭ１２と、バッファマネージャ１３と、ＡＴＡＰＩ／ＳＣＳＩインターフェース１５と、Ｄ／Ａコンバータ１６と、ＲＯＭ１７と、ＲＡＭ１９と、を制御する。
【００４４】
ＲＯＭ１７は、ＣＰＵ１８にて解読可能なコードで記述された制御プログラムが格納されている。なお、光ディスクドライブの電源がオン状態になると、制御プログラムは、メインメモリ（図示しない）にロードされ、ＣＰＵ１８はその制御プログラムに従って各部の動作を制御するとともに、制御に必要なデータ等を一時的にＲＡＭ１９に保存する。
【００４５】
次に、光ディスクドライブにおける処理動作を説明する。
まず、光ディスク１は、スピンドルモータ２によって回転駆動される。このスピンドルモータ２は、モータドライバ４とサーボ手段５により、線速度または角速度が一定になるように制御される。この線速度または角速度は、階段的に変更することが可能である。
【００４６】
光ピックアップ３は、図１、図６、図８で説明した構成を有し、レーザ光（ＬＢ）を光ディスク１に照射する。また、光ピックアップ３は、シークモータによってスレッジ方向への移動が可能となる。
また、フォーカスアクチュエータ、トラックアクチュエータ、シークモータは、図１から図１１を用いて説明した受光素子とポジションセンサから得られる信号に基づいて、モータドライバ４とサーボ手段６とにより、レーザ光（ＬＢ）のスポットが光ディスク１上の目的の場所に位置するように制御される。
そして、リード時には、光ピックアップ３によって得られた再生信号が、リードアンプ５で増幅されて２値化された後、ＤＶＤデコーダ７に入力される。ＤＶＤデコーダ７は、入力された２値化データを、８／１６復調する。
【００４７】
なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４８】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。
このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。
【００４９】
なお、音楽データの場合には、ＤＶＤデコーダ７から出力されたデータが、Ｄ／Ａコンバータ１６へ入力され、アナログのオーディオ出力信号Ａｕｄｉｏとして取り出される。
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後ライト動作が開始されるが、この場合には、その前にレーザスポットを書き込み開始地点に位置させる必要がある。この開始地点は、ＤＶＤ＋ＲＷ／＋Ｒの場合は、予め光ディスク１上にトラックの蛇行により刻まれているウォブル信号により求められる。
また、ＤＶＤ−ＲＷ／−Ｒの場合は、ウォブル信号の代わりにランドプリピットにより求められ、ＤＶＤ−ＲＡＭ／ＲＡＭ・ＷＯの場合は、プリピットにより求められる。
【００５０】
なお、ＤＶＤ＋ＲＷ／＋Ｒにおけるウォブル信号には、ＡＤＩＰ（Ａｄｒｅｓｓ　Ｉｎ　Ｐｒｅ−ｇｒｏｏｖｅ）と呼ばれるアドレス情報が含まれており、この情報が、ＡＤＩＰデコーダ８により取り出される。また、このＡＤＩＰデコーダ８によって生成される同期信号は、ＤＶＤエンコーダ１０へ入力され、光ディスク１上の正確な位置へのデータの書き込みを可能にしている。
【００５１】
バッファＲＡＭ１２のデータは、ＤＶＤ−ＲＯＭエンコーダ１１やＤＶＤエンコーダ１０において、エラー訂正コードの付加や、インターリーブが行われ、レーザコントローラ９、光ピックアップ３を介して、光ディスク１に記録される。なお、ランドプリピットやプリピットからアドレス情報を得ることも可能である。
【００５２】
次に、図１３を参照しながら光ディスクドライブを具備する情報処理装置について説明する。
【００５３】
情報処理装置は、主制御装置２０と、インターフェース２１と、記録装置（ＨＤＤ）２２と、入力装置２３と、表示装置２４と、光ディスク装置２５と、を有して構成される。
【００５４】
主制御装置２０は、マイクロコンピュータ、メインメモリ（いずれも不図示）などを有して構成され、情報処理装置の全体を制御する。
インターフェース２１は、光ディスクドライブ２５との双方向の通信インターフェースであり、ＡＴＡＰＩ及びＳＣＳＩ等の標準インターフェースに準拠している。また、インターフェース２１は、光ディスクドライブ２５のインターフェース１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
記録装置（ハードディスクＨＤＤ）２２は、主制御装置２０のマイクロコンピュータで解読可能なコードで記述されたプログラムが格納されている。なお、情報処理装置の駆動電源がオン状態になると、上記プログラムは主制御装置２０のメインメモリにロードされる。
表示装置２４は、例えばＣＲＴ、液晶ディスプレイ（ＬＣＤ）及びプラズマディスプレイパネル（ＰＤＰ）などの表示部（図示省略）を備え、主制御装置２０からの各種情報を表示する。
入力装置２３は、例えばキーボード、マウス及びポインティングデバイスなどのうち少なくとも１つの入力媒体（図示省略）を備え、ユーザから入力された各種情報を主制御装置２０に通知する。なお、入力媒体からの情報はワイヤレス方式で入力されても良い。また、表示装置２４と入力装置２３とが一体化したものとして、例えばタッチパネル付きＣＲＴなどがある。
また、情報処理装置はオペレーティングシステム（、以下「ＯＳ」という）を搭載している。そして、情報処理装置を構成する全てのデバイスはＯＳにより管理されているものとする。
【００５５】
このように、光束を記録媒体の記録面に集光し情報の記録、再生、消去を行い、かつ、記録媒体の溝横断方向に非周期的な微細溝形状からの情報を読み取ることのできる光ピックアップ装置を有した光ディスクドライブにより、ウォブル信号やランドプリピット信号のＣ／Ｎ劣化の抑制された、再生分解能の高い信頼性のある光ディスクドライブを提供することができる。
【００５６】
なお、上述する実施の形態は、本発明の好適な実施の形態であり、本発明の要旨を逸脱しない範囲において種々変形実施が可能である。
【００５７】
【発明の効果】
以上の説明より明らかなように本発明は以下のような効果を奏し得る。
第１の効果として、ウォブル検出する受光素子上のトラックパターンを含む部分の割合が大きくなるように受光領域を設定することにより、ウォブル信号やＬＰＰ信号のＣ／Ｎを向上させることができる。
【００５８】
第２の効果として、ウォブルを取らない受光領域から生成される信号の品質を維持しつつ、ウォブル検出する受光素子上のトラックパターンを含む部分の割合が大きくなるように受光領域を設定することにより、ウォブル信号やＬＰＰ信号のＣ／Ｎを向上させることができる。
【００５９】
第３の効果として、ウォブル検出する受光素子上のトラックパターンを含む部分の割合が大きくなるように受光領域を設定することにより、ウォブル信号やＬＰＰ信号のＣ／Ｎ劣化の抑制された、信頼性の高い光ディスクドライブを提供することができる。
【図面の簡単な説明】
【図１】本発明に係る第１の光ピックアップの構成を示すブロック図である。
【図２】溝横断によるプッシュプル信号にウォブルやＬＰＰによる溝形状変化による信号変化が重畳された信号を説明する図である。
【図３】図２に示す信号からバンドパスフィルタにより高域成分と低域成分（プッシュプル成分）とを除去したウォブル信号（６０１）と、ＬＰＰ信号（６０２）とを説明する図である。
【図４】図２に示す信号からローパスフィルタにより、高帯域成分をカットした信号が溝トラッキングに用いられるプッシュプル信号を説明する図である。
【図５】図１の構成により得られる受光素子部分の例を説明する図である。
【図６】本発明にかかる第２の光ピックアップの構成を示すブロック図である。
【図７】図６の構成により得られる受光素子部分の例を説明する図である。
【図８】本発明にかかる第３の光ピックアップの構成を示すブロック図である。
【図９】ホログラムの回折領域のパターンを説明する図である。
【図１０】ホログラムパターンの分割位置が中心からずれている場合を説明する図である。
【図１１】ホログラムの分割線と光軸との設定を説明する図である。
【図１２】図１、図６、図８に示す光ピックアップを具備する光ディスクドライブの構成を示すブロック図である。
【図１３】図１２に示す光ディスクドライブを具備する情報処理装置の構成を示すブロック図である。
【図１４】ウォブルが形成された光ディスクを示す図である。
【図１５】ＬＰＰが形成された光ディスクを示す図である。
【図１６】トラックパターンが２分割された受光領域の構成を示す図である。
【符号の説明】
４０１　半導体レーザ（ＬＤ）
４０２、１１０２　コリメートレンズ（ＣＬ）
４０３　ビームスプリッタ（ＢＳ）
４０４、１１０４　変更プリズム（ＤＰ）
４０５、１１０５　対物レンズ（ＯＬ）
４０６、１１０６　光ディスク
４０７　集光レンズ（ＤＬ）
４０８、１１０８　受光素子（ＰＤ）
９０９　回折格子
１１００　ホログラムユニット
１１０１　ＬＤチップ
１１０７　ホログラム
【図１】
2004111005.tif 000003
【図２】
2004111005.tif 000004
【図３】
2004111005.tif 000005
【図４】
2004111005.tif 000006
【図５】
2004111005.tif 000007
【図６】
2004111005.tif 000008
【図７】
2004111005.tif 000009
【図８】
2004111005.tif 000010
【図９】
2004111005.tif 000011
【図１０】
2004111005.tif 000012
【図１１】
2004111005.tif 000013
【図１２】
2004111005.tif 000014
【図１３】
2004111005.tif 000015
【図１４】
2004111005.tif 000016
【図１５】
2004111005.tif 000017
【図１６】
2004111005.tif 000018